(57)【要約】【課題】高輝度で且つ高コントラスト、特に黒浮きを抑えたプラズマディスプレイパネルの駆動方法を実現することを目的とする。【解決手段】維持電極と、維持電極を挟んで隣接して設けた第一走査電極および第二走査電極とにより構成した表示電極を複数形成した表面基板を有するプラズマディスプレイパネルの駆動方法であって、アドレスデータ書き込みのとき、第一走査電極と第二走査電極に異なる電位を与えることにより、第一走査電極と維持電極の間と第二走査電極と維持電極の間のいずれか一方から書き込み放電が開始するように制御するものである。  維持電極と、維持電極を挟んで隣接して設けた第一走査電極および第二走査電極とにより構成した表示電極を複数形成した表面基板を有するプラズマディスプレイパネルの駆動方法であって、第一走査電極と第二走査電極のいずれか一方に全面初期化パルスを与えるように制御するものである。【選択図】図３
2005221927.tif 000002
【特許請求の範囲】
【請求項１】
維持電極と、維持電極を挟んで隣接して設けた第一走査電極および第二走査電極とにより構成した表示電極を複数形成した表面基板を有するプラズマディスプレイパネルの駆動方法であって、アドレスデータ書き込みのとき、第一走査電極と第二走査電極に異なる電位を与えることにより、第一走査電極と維持電極の間と第二走査電極と維持電極の間のいずれか一方から書き込み放電が開始するように制御することを特徴とするプラズマディスプレイパネルの駆動方法。
【請求項２】
前記アドレスデータ書き込みのとき、第一走査電極と第二走査電極の電位は共に同極性で、かつ、維持電極とは逆極性にすることを特徴とする請求項１に記載のプラズマディスプレイパネルの駆動方法
【請求項３】
前記アドレスデータ書き込みのとき、維持電極を基準電位としたときの第一走査電極と第二走査電極の電位を負極性にすることを特徴とする請求項２に記載のプラズマディスプレイパネルの駆動方法。
【請求項４】
前記アドレスデータ書き込みのとき、第一走査電極と第二走査電極の電位を、指定した期間毎に入れ替えることを特徴とする請求項１に記載のプラズマディスプレイパネルの駆動方法。
【請求項５】
前記、指定した期間をサブフィールドの整数倍とすることを特徴とする請求項４に記載のプラズマディスプレイパネルの駆動方法。
【請求項６】
維持電極と、維持電極を挟んで隣接して設けた第一走査電極および第二走査電極により構成した表示電極を複数形成した表面基板を有するプラズマディスプレイパネルの駆動方法であって、第一走査電極と第二走査電極のいずれか一方に全面初期化パルスを与えることを特徴とするプラズマディスプレイパネルの駆動方法。
【請求項７】
全面初期化パルスを第一走査電極と第二走査電極の間で、指定した期間毎に入れ替えることを特徴とする請求項６に記載のプラズマディスプレイパネルの駆動方法。
【請求項８】
前記、指定した期間をサブフィールドの整数倍とすることを特徴とする請求項７に記載のプラズマディスプレイパネルの駆動方法。
【請求項９】
表面基板の複数の表示電極は、隣り合う放電セル間で、第一走査電極と第二走査電極が隣接するように配置されていることを特徴とする請求項１から８に記載のプラズマディスプレイパネルの駆動方法。
【請求項１０】
初期化期間およびアドレス期間においては、表面基板の複数の表示電極は隣り合う放電セル間で第一走査電極と第二走査電極が隣接するように、一方、表示期間において、第一走査電極どうし、または第二走査電極どうしが隣り合う放電セル間で隣接するように駆動電圧を制御することを特徴とする請求項１から９に記載のプラズマディスプレイパネルの駆動方法。
【発明の詳細な説明】
【技術分野】
【０００１】
本発明はプラズマディスプレイパネルの駆動方法に関するものである。
【背景技術】
【０００２】
プラズマディスプレイパネル（ＰＤＰ）は高画質化が年を追うごとに着実に進んでいるものの、現状では、ブラウン管方式の直視型ディスプレイ装置と比較すると輝度とコントラストの更なる改善が必要である。
【０００３】
こうした背景のもと、プラズマディスプレイパネルの輝度向上策として、アドレス期間での荷電粒子等によるクロストークの発生を抑制し、放電領域を拡大させる技術がある（例えば、特許文献１参照）。
【特許文献１】特開２００２−０８２６４５号公報
【発明の開示】
【発明が解決しようとする課題】
【０００４】
前述したように高画質への基本条件の一つがコントラストである。ところが、特開２００２−０８２６４５号公報に記載された従来技術は、表示電極１つ当り２つの放電ギャップが存在するため、現在主流である放電ギャップが表示電極１つ当り１つの場合よりも予備放電と書き込み放電による発光が強くなるため黒輝度が高くなり、表示画像が白っぽくなってしまう。
【０００５】
本発明はこのような課題を解決するためになされたものであり、高輝度で且つ高コントラスト、特に黒輝度上昇を抑えたプラズマディスプレイパネルの駆動方法を実現することを目的とする。
【課題を解決するための手段】
【０００６】
上記目的を達成するために本発明のプラズマディスプレイパネルの駆動方法は、維持電極と、維持電極を挟んで隣接して設けた第一走査電極および第二走査電極とにより構成した表示電極を複数形成した表面基板を有するプラズマディスプレイパネルの駆動方法であって、アドレスデータ書き込みのとき、第一走査電極と第二走査電極に異なる電位を与えることにより、第一走査電極と維持電極の間と第二走査電極と維持電極の間のいずれか一方から書き込み放電が開始するように制御することを特徴とするものである。
【０００７】
また、上記目的を達成するために本発明のプラズマディスプレイパネルの駆動方法は、維持電極と、維持電極を挟んで隣接して設けた第一走査電極および第二走査電極により構成した表示電極を複数形成した表面基板を有するプラズマディスプレイパネルの駆動方法であって、第一走査電極と第二走査電極のいずれか一方に全面初期化パルスを与えることを特徴とするものである。
【発明の効果】
【０００８】
本発明によれば、高輝度で且つ高コントラスト、特に黒の再現性に優れた高画質のプラズマディスプレイパネルの駆動方法を実現できる。
【発明を実施するための最良の形態】
【０００９】
すなわち、本発明の請求項１に記載の発明は、維持電極と、維持電極を挟んで隣接して設けた第一走査電極および第二走査電極とにより構成した表示電極を複数形成した表面基板を有するプラズマディスプレイパネルの駆動方法であって、アドレスデータ書き込みのとき、第一走査電極と第二走査電極に異なる電位を与えることにより、第一走査電極と維持電極の間と第二走査電極と維持電極の間のいずれか一方から書き込み放電が開始するように制御することを特徴とするプラズマディスプレイパネルの駆動方法である。
【００１０】
また、請求項２に記載の発明は、請求項１に記載の発明において、前記アドレスデータ書き込みのとき、第一走査電極と第二走査電極の電位は共に同極性で、かつ、維持電極とは逆極性にすることを特徴とするものである。
【００１１】
また、請求項３に記載の発明は、請求項２に記載の発明において、前記アドレスデータ書き込みのとき、維持電極を基準電位としたときの第一走査電極と第二走査電極の電位を負極性にすることを特徴とするものである。
【００１２】
また、請求項４に記載の発明は、請求項１に記載の発明において、第一走査電極と第二走査電極の電位を、指定した期間毎に入れ替えることを特徴とするものである。
【００１３】
また、請求項５に記載の発明は、請求項４に記載の発明において、指定した期間をサブフィールドの整数倍とすることを特徴とするものである。
【００１４】
また、請求項６に記載の発明は、維持電極と、維持電極を挟んで隣接して設けた第一走査電極および第二走査電極により構成した表示電極を複数形成した表面基板を有するプラズマディスプレイパネルの駆動方法であって、第一走査電極と第二走査電極のいずれか一方に全面初期化パルスを与えることを特徴とするプラズマディスプレイパネルの駆動方法である。
【００１５】
また、請求項７に記載の発明は、請求項６に記載の発明において、全面初期化パルスを第一走査電極と第二走査電極の間で、指定した期間毎に入れ替えることを特徴とするものである。
【００１６】
また、請求項８に記載の発明は、請求項７に記載の発明において、指定した期間をサブフィールドの整数倍とすることを特徴とするものである。
【００１７】
また、請求項９に記載の発明は、請求項１と６のいずれかに記載の発明において、表面基板の複数の表示電極は、隣り合う放電セル間で、第一走査電極と第二走査電極が隣接するように配置されていることを特徴とするものである。
【００１８】
また、請求項１０に記載の発明は、請求項１と６に記載の発明において、初期化期間およびアドレス期間においては、表面基板の複数の表示電極は隣り合う放電セル間で第一走査電極と第二走査電極が隣接するように、一方、表示期間において、第一走査電極どうし、または第二走査電極どうしが隣り合う放電セル間で隣接するように駆動電圧を制御することを特徴とするものである。
【００１９】
以下、本発明の一実施の形態について図面を参照して説明する。図１は本発明の一実施の形態によるＰＤＰの要部の概略構成を示す一部断面図である。
【００２０】
図１に示すように、本発明の一実施の形態によるＰＤＰは、２つの基板である表面基板２と背面基板３とを間に放電空間１を形成するように対向配置し、表面基板２と背面基板３の周縁部を封着ガラス（不図示）で気密封止して構成している。放電空間１にはＸｅを含む混合ガスからなる放電ガス（例えば、ＮｅとＸｅ、あるいは、ＮｅとＸｅとＨｅ、更には、ＮｅとＸｅとＫｒ、ＮｅとＸｅとＨｅとＡｒ等）を所定の圧力および混合比で充填している。
【００２１】
ガラスからなる表面基板２上には、第一走査電極２０、維持電極２１および第二走査電極２２を順に配置することにより構成した表示電極２３を複数形成している。また、図示していないが、表面基板２上のセル間ギャップ１６には外光の反射を防止するために、黒色誘電体、いわゆるブラックマトリクスを形成している。第一走査電極２０、維持電極２１および第二走査電極２２はそれぞれ透明電極６とその上に形成したバス電極７とにより構成されている。透明電極６はインジウムスズ酸化物（ＩＴＯ）膜または酸化スズ（ＳｎＯ2）膜等からなり、バス電極７は銀（Ａｇ）厚膜（厚み２μｍ〜１０μｍ）、アルミニウム（Ａｌ）薄膜（厚み１μｍ〜１０μｍ）またはクロム／銅／クロム（Ｃｒ／Ｃｕ／Ｃｒ）積層薄膜（厚み１μｍ〜１０μｍ）等からなる。
【００２２】
また、酸化鉛（ＰｂＯ）、酸化ビスマス（Ｂｉ2Ｏ3）または酸化燐（ＰＯ4）を主成分とする低融点ガラスからなる第一誘電体層８（厚み約４０μｍ）を、第一走査電極２０、維持電極２１および第二走査電極２２を覆うように表面基板２上に形成している。また、放電空間１で発生する放電プラズマによる損傷から第一誘電体層８を保護するように、第一誘電体層８上に酸化マグネシウム（ＭｇＯ）からなる保護層９（厚み約５００ｎｍ）が形成されている。
【００２３】
一方、ガラスからなる背面基板３上には、表示電極２３と直交する方向に複数のデータ電極１０が形成されている。データ電極１０は、たとえば銀厚膜（厚み２μｍ〜１０μｍ）、アルミニウム薄膜（厚み１μｍ〜１０μｍ）またはクロム／銅／クロム積層薄膜（厚み１μｍ〜１０μｍ）からなる。背面基板３上にはデータ電極１０を覆うように、第一誘電体層８の構成材料と同様な低融点ガラスからなる第二誘電体層１１（厚み５μｍ〜２０μｍ）を形成している。また、図示していないが第二誘電体層１１上にはガラスを主成分とする隔壁が、データ電極１０間に位置するようにかつデータ電極１０と平行に形成されている。さらに、カラー表示のための３色（赤、緑、青）の蛍光体層１３を第二誘電体層１１上および隔壁の側面に設けている。なお、第二誘電体層１１は蛍光体層１３の密着性を改善するためのものであり、第二誘電体層１１がないとパネルが機能しないというものではない。
【００２４】
図２は、本発明の一実施の形態によるＰＤＰの駆動方法によって駆動されるＰＤＰの、第一走査電極２０、維持電極２１および第二走査電極２２とデータ電極１０および隔壁１２との位置関係がわかるように示した概略図である。図２に示すように、第一走査電極２０、維持電極２１および第二走査電極２２からなる表示電極２３が行方向に伸長して、複数並んで配置されており、１つの表示電極２３を構成する維持電極２１と第一走査電極２０および第二走査電極２２との間はそれぞれ放電ギャップ１５となる。また、データ電極１０と隔壁１２は列方向に伸長して配置されており、表示電極２３とデータ電極１０との交差部には一点鎖線で領域を示す放電セル１４が形成され、データ電極１０に沿って隣り合う放電セル１４間で、第一走査電極２０どうし、または第二走査電極２２どうしがセル間ギャップ１６を隔てて隣接するように配置されている。
【００２５】
上述のように、本実施の形態によるＰＤＰの駆動方法により駆動されるＰＤＰは、表面基板２と背面基板３との間に複数の放電セル１４を形成することにより構成され、一方の基板である表面基板２上に、第一走査電極２０、維持電極２１および第二走査電極２２で構成される表示電極２３を放電セル１４毎に１組配置されるように形成した構成となっている。
【００２６】
なお、図１には表示セルと隣接する表示セル間に隔壁１２が無い場合のプラズマディスプレイパネルの構造を示したが、この隔壁１２が有る場合のプラズマディスプレイパネルの構造においても本発明の駆動方法は適用でき同様な効果が期待できる。
【００２７】
ここで、特開２００２−０８２６４５号公報で示されている従来のＰＤＰの駆動方法による表示動作について図５を用いて説明する。テレビ映像を表示する場合、ＮＴＳＣ方式において映像は１秒間に６０個のフレームで構成されている。このパネルで画像表示を行う場合、一定の強さをもつ発光パルスの数を、例えば、１、２、４、８、１６、３２、６４、１２８のように重み付けした８個のサブフィールドによって１フレームを構成する。８個のサブフィールドはそれぞれの重み付けに応じた回数の表示放電を行って輝度の表示を行うものであり、これら８個のサブフィールドの中から表示に用いるサブフィールドを１個または複数個選択して所定輝度の表示を行うことにより階調表示を行っている。各サブフィールドは初期化期間、アドレス期間および表示期間からなる。
【００２８】
初期化期間では、全セルの壁電荷の条件をほぼ均一にして、アドレスデータ書き込みを安定に行うために予備放電を起こす。予備放電は第一走査電極２０および第二走査電極２２に印加される全面初期化パルス（全表示セル同時点灯パルス）によって引き起こされる。
【００２９】
アドレス期間では、１行目の第一走査電極２０および第二走査電極２２に書き込み走査パルスを印加すると同時に所望のデータ電極１０に書き込み信号パルスを印加することにより、１行目の放電セル１４のうち点灯させたい放電セル１４に書き込み放電を起こし、保護層９の表面および蛍光体層１３の表面に壁電荷を蓄積させる。２行目以降のすべての行についても順次同様にして点灯させたい放電セル１４に書き込み放電を起こす。このようにしてアドレスデータ（表示情報）の書き込みを行う。
【００３０】
表示期間では、第一走査電極２０と維持電極２１、および第二走査電極２２と維持電極２１との間に数十ｋＨｚ〜数百ｋＨｚの放電維持パルスを印加することにより、アドレス期間において書き込み放電を起こした放電セル１４でのみ維持放電を発生させる。維持放電で発生する紫外線によって蛍光体層１３を励起し、可視光を発生させて表示動作を行う。
【００３１】
次に、図３を用いて、本発明の一実施の形態によるＰＤＰの駆動方法における駆動電圧波形について、上述した従来の駆動方法とは異なる表示電極２３に対する部分について説明する。
【００３２】
最初に全面初期化パルスについて説明する。図３中の細実線は、第一走査電極２０に印加される全面初期化パルスの電圧波形を表す。一方の破線は第二走査電極２２に印加される電圧波形を表す。第二走査電極２２には維持電極２１に対してゼロか負電位、あるいは予備放電が発生しない程度の正電位を与える。
【００３３】
第一走査電極２０に印加される全面初期化パルスによって、維持電極２１と第一走査電極２０間の放電ギャップ１５で予備放電を発生させる。一方、第二走査電極２２に上記の電圧を与えることで、予備放電によって発生した荷電粒子が第二走査電極２２へ移動しないため、予備放電による発光が抑制できる。
【００３４】
次に、アドレス期間の書き込み走査パルスについて図３に示す駆動電圧波形を用いて説明する。図３中の細実線と破線は、それぞれ第一走査電極２０、第二走査電極２２にそれぞれ印加される書き込み走査パルスの電圧波形を表す。それらの特徴は、維持電極２１を基準電位とした場合の極性が同じで電圧値が異なるというものである。つまり、第一走査電極２０に印加される書き込み走査パルスの電圧の絶対値ＶＨｉは、第二走査電極２２に印加される書き込み走査パルスの電圧の絶対値ＶＬｏと異なり、ＶＨｉに比べＶＬｏを低くしていることにある。第一走査電極２０と第二走査電極２２に負極性パルスを加え、維持電極２１に正極性パルスを印加することにより、第一走査電極２０と維持電極２１の放電ギャップ１５で書き込み放電が発生する。その書き込み放電で発生した荷電粒子が放電空間１の電界によりドリフトして、第二走査電極２２側に正の壁電荷が蓄積される。第一走査電極２０側に蓄積される壁電荷は第二走査電極２２側の壁電荷と同極性（正極性）となるため、次の表示期間において、第一走査電極２０と維持電極２１間だけでなく、第二走査電極２２と維持電極２１間でも正常な維持放電が発生すると考えられる。ここで、書き込み走査パルスを負極性にしたのは、書き込み放電によって発生したイオンがデータ電極１０側ではなく、第一走査電極２０や第二走査電極２２側にドリフトするため、ＰＤＰの寿命と相関のある蛍光体層１３へのイオン衝突を回避できるからである。
【００３５】
以下、本発明の一実施の形態によるＰＤＰの駆動方法と従来のＰＤＰの駆動方法とに対して行った比較結果について述べる。本発明の一実施の形態によるＰＤＰの駆動方法では、全面初期化パルスと書き込み走査パルスを同時に印加した。その結果、本実施の形態によるＰＤＰのコントラストは、従来の駆動方法によるＰＤＰに比べ、約１．４倍から２倍に改善されることが判った。
【００３６】
ここで、図３に示すＶＬｏおよびＶＨｉは、本発明者らが行った検討により、本発明の全面初期化パルスと書き込み走査パルスを同時に印加した場合、０．９≧ＶＬｏ／ＶＨｉ≧０．６であることが、高コントラストを保ちつつアドレスデータ書き込みの安定動作を確保できるという面で好ましいことが判っている。また、各サブフィールドの表示期間において、維持パルス電圧の最初の数周期分のみ、維持パルスの印加時間を引き延ばせば、誤放電のない安定した、すなわち設計マージンの広い維持放電を実現できることも判っている。
【００３７】
ここで、本実施の形態にかかるＰＤＰの電極構成では、予備放電および書き込み放電により、第一走査電極２０と維持電極２１間では強い発光が、維持電極２１と第二走査電極２２間では弱い発光が生じる。従って、電極間の蛍光体の劣化速度がアンバランスになり、パネルの寿命は第一走査電極２０と維持電極２１間付近の蛍光体劣化に律速され、結果的に寿命は短くなる。そこで、第一走査電極と第二走査電極の間で、全面初期化パルスおよび書き込み走査パルスの印加をサブフィールド毎に入れ替えると強い放電、弱い放電の位置が切り替わるため、ＰＤＰの寿命が改善される。なお、これらの放電維持パルスの入れ替えタイミングは上記に限定されることはなく、フレーム毎、サブフィールドの整数倍といった、指定した期間毎に入れ替えるのであれば同様の効果が得られる。
【００３８】
また、図２に示す電極構成では、隣り合う放電セル１４間で、第一走査電極２０どうし、または第二走査電極２２どうしが隣接するように配置されているため、書き込み放電がセル間ギャップ１６を挟んで開始される。そのため、書き込み放電が隣接セルに干渉しないように、セル間ギャップ１６を広げざるを得ず、放電領域が狭くなり、結果的に輝度が低下してしまうという問題が発生する場合がある。しかしながら、図４に示すような、隣り合う放電セル１４間で、第一走査電極２０と第二走査電極２２が隣接するように表示電極２３を配置すれば、書き込み放電の開始ポイントの間隔が広くなり、すなわち、セル間ギャップ１６を狭くでき、放電領域を拡大できる。
【００３９】
ここで、表示期間において第一走査電極２０と第二走査電極２２間に異なる維持パルス電圧を印加する場合、図４に示す電極構成では、セル間ギャップ１６で浮遊容量が発生し、その充放電に伴う電力損（無効電力）が消費電力を引き上げてしまうという問題が発生する場合がある。その場合は、複数の表示電極２３を表示期間のみ、図２に示すような、隣り合う放電セル１６間で、第一走査電極２０どうし、または第二走査電極２２どうしとなるように電圧を印加することで解決することができる。
【産業上の利用可能性】
【００４０】
以上のように本発明のＰＤＰの駆動方法によれば、高輝度で且つ高コントラスト、特に黒の再現性に優れた高画質のプラズマディスプレイパネルを提供することができる。
【図面の簡単な説明】
【００４１】
【図１】本発明の一実施の形態にかかるプラズマディスプレイパネルの要部を示す断面図
【図２】本発明の一実施の形態にかかるプラズマディスプレイパネルの表示電極の配置を示す概略図
【図３】本発明の一実施の形態にかかるプラズマディスプレイパネルの駆動部が初期化期間およびアドレス期間で出力する駆動電圧の波形を示す図
【図４】同じく、本発明の一実施の形態にかかるプラズマディスプレイパネルの表示電極の配置を示す概略図
【図５】従来のプラズマディスプレイパネルの駆動電圧の波形を示す図
【符号の説明】
【００４２】
１  放電空間
２  表面基板
３  背面基板
６  透明電極
７  バス電極
８  第一誘電体層
９  保護層
１０  データ電極
１１  第二誘電体層
１２  隔壁
１３  蛍光体層
１４  放電セル
１５  放電ギャップ
１６  セル間ギャップ
２０  第一走査電極
２１  維持電極
２２  第二走査電極
２３  表示電極
【図１】
2005221927.tif 000003
【図２】
2005221927.tif 000004
【図３】
2005221927.tif 000005
【図４】
2005221927.tif 000006
【図５】
2005221927.tif 000007